(57)【要約】  斜め方向から見たときでも隣接画素との混色を避け、色再現性が高いカラー表示を行うことができる情報表示用パネルを提供する。  情報表示用パネルにおいて、各色のカラーフィルターを、屈折率ｎ、厚さｄの観察側透明基板の外側であって画素と重なる位置に、カラーフィルターの上下両側か左右両側かのいずれか少なくとも隣接するカラーフィルター色が異なるカラーフィルター間であって、斜め視認方向と直角をなす部分に隙間を持つように、カラーフィルターが画素と重なる面積を画素面積の５０％以上１００％以下で設けるとともに、視認方向での画素ピッチおよび画素間スペースをそれぞれＬＳおよびＤＳとし、表示媒体が表示する画像をカラーフィルター面で４５°方向に屈折した反射光として視認したときに起こる、式（１）で示される視野ずれｌ、との関係が、ｌ≦０．５×（ＤＳ＋ＬＳ）である：  ｌ＝ｄ×{ｓｉｎ２θ／（ｎ２−ｓｉｎ２θ）}１／２      θ＝４５°・・・式（１）。
2010146810.tif 000002
【特許請求の範囲】
【請求項１】
観察側透明基板と、透明であることを要しない背面側基板とを対向配置した基板間空間に、表示媒体を封入し、観察側から入射した光を表示媒体で反射させた反射光として、観察側透明基板に設けた各色のカラーフィルターを通して表示情報をカラー認識できるようにした情報表示用パネルであって、
前記各色のカラーフィルターを、屈折率ｎ、厚さｄの観察側透明基板の外側であって画素と重なる位置に、カラーフィルターの上下両側か左右両側かのいずれか少なくとも隣接するカラーフィルター色が異なるカラーフィルター間であって、斜め視認方向と直角をなす部分に隙間を持つように、カラーフィルターが画素と重なる面積を画素面積の５０％以上１００％以下で設けるとともに、視認方向での画素ピッチおよび画素間スペースをそれぞれＬＳおよびＤＳとし、表示媒体が表示する画像をカラーフィルター面で４５°方向に屈折した反射光として視認したときに起こる、式（１）で示される視野ずれｌ、との関係が、ｌ≦０．５×（ＤＳ＋ＬＳ）であることを特徴とする情報表示用パネル：
ｌ＝ｄ×{ｓｉｎ２θ／（ｎ２−ｓｉｎ２θ）}１／２      θ＝４５°・・・式（１）。
【請求項２】
前記各色のカラーフィルターと画素との間に隙間ｔを形成したとき、表示媒体が表示する画像をカラーフィルター面で４５°方向に屈折した反射光として視認したときに起こる、前記式（１）で示される視野ずれｌ、との関係が、ｌ≦ＤＳ＋ｔであることを特徴とする請求項１に記載の情報表示用パネル。
【請求項３】
透明基板の一方の面に、パターニングされた透明導電膜もしくはべた透明導電膜が形成され、前記いずれかの導電膜が形成された面とは反対面側に前記各色のカラーフィルターを配置したことを特徴とする請求項１または２に記載の情報表示用パネル。
【請求項４】
前記観察側となる透明な基板の厚さｄが、２００μｍ以下であり、かつ、前記観察側となる透明な基板の屈折率ｎが１．４７以上であることを特徴とする請求項１〜３のいずれか１項に記載の情報表示用パネル。
【請求項５】
前記観察側となる透明な基板の材料が、ガラス、ポリエチレンテレフタレート（ＰＥＴ）、ポリエチレンナフタレート（ＰＥＮ）、トリアセチルセルロース（ＴＡＣ）、ポリカーボネート（ＰＣ）、アクリル系樹脂のいずれかであることを特徴とする請求項１〜４のいずれか１項に記載の情報表示用パネル。
【請求項６】
カラーフィルターは、三原色のカラーフィルターまたは三原色と無色透明との４色のカラーフィルターの何れかで構成されることを特徴とする請求項１〜５のいずれか１項に記載の情報表示用パネル。
【請求項７】
請求項１〜６のいずれか１項に記載の情報表示用パネルであって、カラーフィルターが形成された透明な観察側基板と、もう一方の背面側基板との間に封入する表示媒体として、少なくとも光学的反射率と帯電性とを有する粒子を含んだ粒子群を用い、基板間に形成した電界により表示媒体を移動させて情報を表示するものであることを特徴とする情報表示用パネル。
【発明の詳細な説明】
【技術分野】
【０００１】
本発明は、観察側透明基板と、透明であることを要しない背面側基板とを対向配置した基板間空間に表示媒体を封入し、観察側から入射した光を表示媒体で反射させた反射光として、観察側透明基板に設けた各色のカラーフィルターを通して表示情報をカラー認識できるようにした情報表示用パネルに関するものであり、特には、表示媒体として、帯電性粒子を含んだ粒子群を用い、表示画素をマトリックス配置した構成の情報表示用パネルに関するものである。
【背景技術】
【０００２】
従来の液晶表示装置（ＬＣＤ）に代わる情報表示装置として、帯電粒子を気体中（真空中を含む）で飛翔移動させて視認させる飛翔移動方式や、液体中で移動させて視認させる電気泳動方式、２色に構成された帯電粒子を液体中で回転させて視認させる２色粒子回転方式等、表示媒体とする粒子からの反射光を視認する技術を用いて、紙に描かれたものを見るような視認性が得られる情報表示装置が提案されている。これらの技術は、ＬＣＤと比較すると、通常の印刷物に近い広い視野角が得られることや表示メモリー性があることから表示させる情報を書換えるときにだけ電源供給すればよい低消費電力型にできることなど、従来のＬＣＤに比べてメリットがあることから、次世代の安価な情報表示装置に使用可能な技術として考えられており、携帯端末用情報表示装置、電子ペーパー型情報表示装置等への展開が期待されている。特に最近では、帯電性粒子を分散粒子として分散液とともにマイクロカプセルに封入し、これを対向する基板間に配置した構成のカプセル型電気泳動方式や、帯電性粒子を分散粒子として分散液とともにマイクロカップ（セル）に封入し、これを対向する基板間に配置した構成のマイクロカップ型電気泳動方式、帯電性粒子を含んだ粒子群として構成した表示媒体を対向する基板間に設けたセルに気体とともにあるいは真空としたセルに封入した構成の帯電粒子気体中飛翔移動方式が提案され、期待が寄せられている。【０００３】
中でも、少なくとも一方が透明な、２枚の導電膜付き基板を対向させて形成した基板間の気体中空間に、あるいは真空空間に、少なくとも光学的反射率および帯電性を有する粒子を含んだ粒子群として構成した、互いに光学的反射率および帯電特性が異なる少なくとも２種類の表示媒体を封入し、基板間に電界を付与することによって、前記表示媒体を移動させて情報を表示する情報表示用パネルが知られている。【０００４】
また、少なくとも一方が透明な、２枚の導電膜付き基板を対向させて形成した基板間の気体中空間に、あるいは真空空間に、少なくとも光学的反射率および帯電性を有する粒子を含んだ粒子群として構成した、互いに光学的反射率および帯電特性が異なる少なくとも２種類の表示媒体を封入し、基板間に電界を付与することによって、前記表示媒体を移動させて情報を表示する情報表示用パネルにおいて、パネル基板の外側に、各色のカラーフィルターを画素に対応して、画素よりも小面積のカラーフィルターを配置したカラー表示型情報表示用パネルも知られている（例えば、特許文献１参照）。
【先行技術文献】
【特許文献】
【０００５】
【特許文献１】特開２００８−８３５２１号公報
【発明の概要】
【発明が解決しようとする課題】
【０００６】
上述した特許文献１に開示されているカラーフィルターを用いた情報表示用パネルでは、透明電極付き透明基板を準備し、その基板の電極が形成された面とは反対の面にカラーフィルター（赤色：Ｒ、緑色：Ｇ、青色：Ｂ）を、画素よりも小さい面積で配置することによって、斜めから見たときでも混色を生じないようにしているが、透明基板としては液晶表示パネルとして汎用されている厚さ７００μｍ以上のガラス基板を用いているため、画素よりもかなり小面積のカラーフィルターとしなければ、上記した、斜めから見たときに生じる混色の問題が解決されず、カラーフィルター面積が小さすぎて、正面から見たときもカラーフィルター色を適正に表示できないため色再現性が低いといった問題があった。【０００７】
また、上述した特許文献１に開示されているカラーフィルターを用いた情報表示用パネルでは、カラーフィルターの大きさを示すにあたって、画素の大きさと透明基板の厚さとを考慮していないため、画素の大きさに対してカラーフィルターの大きさをいくら小さくしても透明基板の厚さが厚い場合には、斜めら見たときに混色を起こしてしまうことがあった。【０００８】
実際に、上述した特許文献１に開示されているカラーフィルターを用いた情報表示用パネルでは、カラーフィルターの大きさをかなり小さくして、カラーフィルター（Ｒ、Ｇ、Ｂ）間に間隔を十分にとることによって、斜めから見たときでも混色を生じないようにしているが、逆に、このようにカラーフィルターの大きさを小さくしすぎると正面から観察する際に見える表示画像はぼやけた鮮明でないものになってしまうという問題があった。【０００９】
本発明の目的は上述した問題点を解消して、斜め方向から見たときでも隣接画素との混色を避け、色再現性が高いカラー表示を行うことができる情報表示用パネルを提供しようとするものである。
【課題を解決するための手段】
【００１０】
本発明の情報表示用パネルは、観察側透明基板と、透明であることを要しない背面側基板とを対向配置した基板間空間に、表示媒体を封入し、観察側から入射した光を表示媒体で反射させた反射光として、観察側透明基板に設けた各色のカラーフィルターを通して表示情報をカラー認識できるようにした情報表示用パネルであって、前記各色のカラーフィルターを、屈折率ｎ、厚さｄの観察側透明基板の外側であって画素と重なる位置に、カラーフィルターの上下両側か左右両側かのいずれか少なくとも隣接するカラーフィルター色が異なるカラーフィルター間であって、斜め視認方向と直角をなす部分に隙間を持つように、カラーフィルターが画素と重なる面積を画素面積の５０％以上１００％以下で設けるとともに、視認方向での画素ピッチおよび画素間スペースをそれぞれＬＳおよびＤＳとし、表示媒体が表示する画像をカラーフィルター面で４５°方向に屈折した反射光として視認したときに起こる、式（１）で示される視野ずれｌ、との関係が、ｌ≦０．５×（ＤＳ＋ＬＳ）であることを特徴とする：
ｌ＝ｄ×{ｓｉｎ２θ／（ｎ２−ｓｉｎ２θ）}１／２      θ＝４５°・・・式（１）。【００１１】
本発明の情報表示用パネルの好適例としては、前記各色のカラーフィルターと画素との間に隙間ｔを形成したとき、表示媒体が表示する画像をカラーフィルター面で４５°方向に屈折した反射光として視認したときに起こる、前記式（１）で示される視野ずれｌ、との関係が、ｌ≦ＤＳ＋ｔであること、透明基板の一方の面に、パターニングされた透明導電膜もしくはべた透明導電膜が形成され、前記いずれかの導電膜が形成された面とは反対面側に前記各色のカラーフィルターを配置したこと、前記観察側となる透明な基板の厚さが、２００μｍ以下であり、かつ、前記観察側となる透明な基板の屈折率ｎが１．４７以上であること、前記観察側となる透明な基板の材料が、ガラス、ポリエチレンテレフタレート（ＰＥＴ）、ポリエチレンナフタレート（ＰＥＮ）、トリアセチルセルロース（ＴＡＣ）、ポリカーボネート（ＰＣ）、アクリル系樹脂のいずれかであること、カラーフィルターは、三原色のカラーフィルターまたは三原色と無色透明との４色のカラーフィルターの何れかで構成されること、カラーフィルターが形成された透明な観察側基板と、もう一方の背面側基板との間に封入する表示媒体として、少なくとも光学的反射率と帯電性とを有する粒子を含んだ粒子群を用い、基板間に形成した電界により表示媒体を移動させて情報を表示するものであること、がある。
【発明の効果】
【００１２】
本発明によれば、各色のカラーフィルターを、屈折率ｎ、厚さｄの観察側透明基板の外側であって画素と重なる位置に、カラーフィルターの上下両側か左右両側かのいずれか少なくとも隣接するカラーフィルター色が異なるカラーフィルター間であって、斜め視認方向と直角をなす部分に隙間を持つように、カラーフィルターが画素と重なる面積を画素面積の５０％以上１００％以下で設けるとともに、視認方向での画素ピッチおよび画素間スペースをそれぞれＬＳおよびＤＳとし、表示媒体が表示する画像をカラーフィルター面で４５°方向に屈折した反射光として視認したときに起こる、式（１）で示される視野ずれｌ、との関係が、ｌ≦０．５×（ＤＳ＋ＬＳ）であるようにする：
ｌ＝ｄ×{ｓｉｎ２θ／（ｎ２−ｓｉｎ２θ）}１／２      θ＝４５°・・・式（１）
ので、斜め方向から見たときでも隣接画素との混色を避け、色再現性が高いカラー表示を行うことができる情報表示用パネルを得ることができる。【００１３】
また、各色のカラーフィルターと画素との間に隙間ｔを形成したとき、表示媒体が表示する画像をカラーフィルター面で４５°方向に屈折した反射光として視認したときに起こる、前記式（１）で示される視野ずれｌ、との関係が、ｌ≦ＤＳ＋ｔである場合は、隣接するカラーフィルター同士の混色を、より効果的に防止することができる。【００１４】
さらに、透明な観察側基板の厚さが２００μｍ以下である場合、および、透明な観察側基板の屈折率ｎが１．４７以上である場合は、画素サイズに対応したカラーフィルターサイズの最適化が可能となり、より効果的に、斜め方向から見たときの隣接画素との混色を避け、色再現性が高いカラー表示を行うことができる情報表示用パネルを得ることができる。【００１５】
さらにまた、前記観察側となる透明な基板の材料が、ガラス、ポリエチレンテレフタレート（ＰＥＴ）、ポリエチレンナフタレート（ＰＥＮ）、トリアセチルセルロース（ＴＡＣ）、ポリカーボネート（ＰＣ）、アクリル系樹脂のいずれかである場合、および、カラーフィルターは、三原色のカラーフィルターまたは三原色と無色透明との４色のカラーフィルターの何れかで構成される場合は、情報表示用パネルの目的にあった適正なカラー表示が可能となる。【００１６】
また、カラーフィルターが形成された観察側透明基板と、もう一方の背面側基板との間に封入する表示媒体として、少なくとも光学的反射率と帯電性とを有する粒子を含んだ粒子群を用い、基板間に形成した電界により表示媒体を移動させて表示を行うものである場合は、視認する光は観察側透明基板に移動した表示媒体からの反射光となるので、情報表示用パネルの構成を本発明にあわせて最適化でき、より効果的に、斜め方向から見たときの隣接画素との混色を避け、色再現性が高いカラー表示を行うことができる情報表示用パネルを得ることができる。
【図面の簡単な説明】
【００１７】
【図１】（ａ）、（ｂ）はそれぞれ本発明の情報表示用パネルの原理的構成の一例を示す図である。
【図２】（ａ）、（ｂ）はそれぞれ本発明の情報表示用パネルの原理的構成の他の例を示す図である。
【図３】（ａ）、（ｂ）はそれぞれ本発明の情報表示用パネルの原理的構成のさらに他の例を示す図である。
【図４】本発明の情報表示用パネルの一つの特徴となる斜め方向から見たときに混色を起こさない関係について説明するための図である。
【図５】（ａ）、（ｂ）はそれぞれ本発明の情報表示用パネルにおけるカラーフィルターの形成方法の一例を説明するための図である。
【図６】（ａ）、（ｂ）はそれぞれ本発明の情報表示用パネルの他の特徴となるカラーフィルターの画素に対する面積の関係を説明するための図である。
【図７】インクジェット印刷でドット状のカラーフィルターを形成した本発明の情報表示用パネルの一例の構成を説明するための図である。
【図８】フレキソ印刷でストライプ状のカラーフィルターを形成した本発明の情報表示用パネルの一例の構成を説明するための図である。
【図９】インクジェット印刷でドット状のカラーフィルターを形成した本発明の情報表示用パネルの他の例の構成を説明するための図である。
【図１０】フレキソ印刷でストライプ状のカラーフィルターを形成した本発明の情報表示用パネルの他の例の構成を説明するための図である。
【図１１】（ａ）、（ｂ）はそれぞれ本発明の情報表示用パネルにおける画素に対するカラーフィルターの配置例の一例を示す図である。
【図１２】（ａ）、（ｂ）はそれぞれ本発明の情報表示用パネルにおける画素に対するカラーフィルターの配置例の他の例を示す図である。
【発明を実施するための形態】
【００１８】
まず、本発明の情報表示用パネルのうち、帯電性粒子を含んだ粒子群を表示媒体として用いる情報表示用パネルの一例について説明する。上記情報表示用パネルでは、対向する２枚の基板間の空間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１９】
本発明の対象となる情報表示用パネルのうち、帯電性粒子を含んだ粒子群を表示媒体として用いる情報表示用パネルの例を、図１（ａ）、（ｂ）〜図３（ａ）、（ｂ）に基づき説明する。
【００２０】
図１（ａ）、（ｂ）に示す例では、少なくとも光学的反射率および帯電性を有する粒子を含んだ粒子群として構成した光学的反射率と帯電特性とが異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と基板２に設けた電極６（共通電極）とで形成する画素電極対間に電圧を印加することにより発生する電界に応じて、基板１、２と垂直に移動させる。各画素の対応する観察側透明基板２の外側には、赤色カラーフィルター１１Ｒ、緑色カラーフィルター１１Ｇ、青色カラーフィルター１１ＢＬを設け、さらにその上に保護層１３を形成している。ここでは、画素とセルとを１対１に対応させ、赤色カラーフィルター１１Ｒ、緑色カラーフィルター１１Ｇ、青色カラーフィルター１１ＢＬを画素に対応して形成し、ＲＧＢ３画素を１表示単位として表示を行っている。
【００２１】
そして、図１（ａ）に示すように白色表示媒体３Ｗを観察者側に移動させて、赤色カラーフィルター１１Ｒ、緑色カラーフィルター１１Ｇ、青色カラーフィルター１１ＢＬをそれぞれ透過した合成光を観察者に視認させて白色の表示を行うか、あるいは、図１（ｂ）に示すように黒色表示媒体３Ｂを観察者側に移動させて黒色の表示を行っている。画素電極対とセルとを１対１に対応させマトリックス配置し、ドットマトリックス表示を行っている。なお、図１（ａ）、（ｂ）において、手前にある隔壁は省略している。
【００２２】
図２（ａ）、（ｂ）に示す例では、少なくとも光学的反射率および帯電性を有する粒子を含んだ粒子群として構成した光学的反射率と帯電特性とが異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ストライプ電極）と基板２に設けた電極６（ストライプ電極）とが対向直交交差して形成する画素電極対の間に電圧を印加することにより発生する電界に応じて、基板１、２と垂直に移動させる。各画素に対応する観察側透明基板２の外側には、赤色カラーフィルター１１Ｒ、緑色カラーフィルター１１Ｇ、青色カラーフィルター１１ＢＬを設け、さらにその上に保護層１３を形成している。ここでは、画素とセルとを１対１に対応させ、赤色カラーフィルター１１Ｒ、緑色カラーフィルター１１Ｇ、青色カラーフィルター１１ＢＬを画素に対応して形成し、ＲＧＢ３画素を１表示単位として表示を行っている。
【００２３】
そして、図２（ａ）に示すように白色表示媒体３Ｗを観察者側に移動させて、赤色カラーフィルター１１Ｒ、緑色カラーフィルター１１Ｇ、青色カラーフィルター１１ＢＬをそれぞれ透過した合成光を観察者に視認させて白色の表示を行うか、あるいは、図２（ｂ）に示すように黒色表示媒体３Ｂを観察者側に移動させて黒色の表示を行っている。画素電極対とセルとを１対１に対応させマトリックス配置し、ドットマトリックス表示を行っている。なお、図２（ａ）、（ｂ）において、手前にある隔壁は省略している。
【００２４】
また、本例ではセル空間が気体（例えば空気）で満たされている帯電粒子気体中移動方式の情報表示用パネルの例を説明したが、セル空間を真空としたり、気体の代わりに、絶縁液体を用いた帯電粒子液体中移動方式（電気泳動方式）の情報表示用パネルとすることもできる。この場合、図３に示すように、帯電性粒子を含んだ粒子群を表示媒体３Ｗ、３Ｂとして絶縁液体７とともにカプセル８内に封止した、セルを形成する隔壁４を設けない構成の帯電粒子液体中移動方式（電気泳動方式）の情報表示用パネルとすることもできる。
【００２５】
なお、図１（ａ）、（ｂ）〜図３（ａ）、（ｂ）に示す例において、カラーフィルター（１１Ｒ、１１Ｇ、１１ＢＬ）を観察側透明基板に設ける方法として、透明な保護フィルム１３上にカラーフィルターを形成した後、透明な粘着材層を介して観察側透明基板２の上にカラーフィルターを配置しても良いし、あるいは、観察側透明基板２上にカラーフィルターを形成し、別に準備した透明粘着材付き透明フィルムをカラーフィルターの上に粘着材で貼り合わせて保護層１３を設けても良い。
【００２６】
本発明の情報表示用パネルの特徴は、上述した構成の情報表示用パネルにおいて、各色のカラーフィルターを、屈折率ｎ、厚さｄの観察側透明基板の外側であって画素と重なる位置に、カラーフィルターの上下両側か左右両側かのいずれか少なくとも隣接するカラーフィルター色が異なるカラーフィルター間であって、斜め視認方向と直角をなす部分に隙間を持つように、カラーフィルターが画素と重なる面積を画素面積の５０％以上１００％以下で設けるとともに、視認方向での画素ピッチおよび画素間スペースをそれぞれＬＳおよびＤＳとし、表示媒体が表示する画像をカラーフィルター面で４５°方向に屈折した反射光として視認したときに起こる、式（１）で示される視野ずれｌ、との関係が、ｌ≦０．５×（ＤＳ＋ＬＳ）：
ｌ＝ｄ×{ｓｉｎ２θ／（ｎ２−ｓｉｎ２θ）}１／２      θ＝４５°・・・式（１）
とした点にある。
【００２７】
図４は本発明の情報表示用パネルの一つの特徴である、各色のカラーフィルターを、屈折率ｎ、厚さｄの観察側透明基板の外側に配置したことによって斜め方向から見た場合に生じる混色について説明するための図である。図４に示す例において、図１（ａ）、（ｂ）〜図３（ａ）、（ｂ）に示す例と同一の部材には同一の符号を付し、その説明を省略する。図４に示す例においては、赤色カラーフィルター１１Ｒが対応している画素にある表示媒体（ここでは黒色粒子）からの反射光が、斜めθ方向から見たときに、緑色カラーフィルター１１Ｇを介して見えてしまう領域を、図中の矢印は示している。また、観察側透明基板２中を透過した反射光は緑色カラーフィルター１１Ｇと観察側透明基板２との界面で屈折してθ方向に進行する様子を模式的に示している。実際には、透明電極と観察側透明基板２との界面やカラーフィルターと保護層との界面での屈折を経て進行してきた反射光を見ることになるが、透明電極およびカラーフィルターは厚さが観察側透明基板２の厚さに比べて極めて薄いので屈折によるずれは無視できる大きさであるので、ここでは観察側透明基板２とカラーフィルターとの界面での屈折だけを考えている。ここでは保護層を考えずに観察側の外部環境が空気層（屈折率１）の場合を示しており、屈折率ｎが１より大きい場合の屈折方向を示していることになる。なお、カラーフィルターと空気層の間に保護層が配置された場合にも、表示媒体からの反射光と、その反射光が界面で屈折して観察される方向との関係は同様に示される。
【００２８】
図４に示す例において、観察側透明基板２の屈折率がｎであり、屈折率（ｎ）の大きい材料で透明基板を構成した場合ほど、色の異なるカラーフィルター間の間隔を狭めても混色を発生させにくくすることができる。表示媒体（粒子）の表面からカラーフィルター面までの距離は、ここでは透明基板の厚さｄと実質的に透明導電膜の厚さとの合計で示されるが、透明導電膜厚は数百ｎｍ程度であるため、表示媒体の表面からカラーフィルター面までの距離は数十μｍ〜数百μｍの厚さである観察側透明基板の厚さｄと同じと考えてよい。また、図４に示す例において、ｔは画素とカラーフィルターとが重ならない部分の長さである。図において左右両側に設けるｔは同じ長さにしてもよいし、異なる長さにしてもよいが、左右（または上下）双方の斜め方向から見る情報表示用パネルとする場合には同じ長さにするのが好ましい。さらにまた、斜め方向から見るときの視認方向での画素間スペースをＤＳとし、画素ピッチをＬＳとしている。セルを形成する隔壁はこの画素間スペースに設け、その幅をＤＳ以下にする。ここでは、画素間スペースＤＳよりも幅が狭い隔壁を設けた例を示している。
【００２９】
図４に示す例において、斜めθ方向から見たときには、ｌ＝ｄ×{ｓｉｎ２θ／（ｎ２−ｓｉｎ２θ）}１／２で示される視野ずれｌがあるために、Ｇ色カラーフィルターを介して認識する色は、Ｇ色表示用画素にある表示媒体（粒子）からの反射光のほかに前記視野ずれｌの分だけ、隣のＲ色表示用画素方向からの反射光が混ざったものとなる。すなわち、Ｇ色カラーフィルターを介して認識するのは混色した色となってしまう。視野ずれｌは、表示媒体の表面からカラーフィルター面までの距離に相等する透明基板の厚さｄを小さく、屈折率ｎを大きくすれば小さくすることができる。そして、画素間スペースＤＳやカラーフィルターと画素とのスペースｔを大きくすれば、隣のＲ色表示用画素にある表示媒体（粒子）からの反射光の混色を小さくすることができるが、画素長さ（ＬＳ−ＤＳ）に対してＤＳを大きくすると画素間が空きすぎるため鮮明な画像が得られない。また、画素長さ（ＬＳ−ＤＳ）に対してカラーフィルターと画素とのスペースｔを大きくすると、画素の面積に対してカラーフィルターの面積が小さすぎるため鮮明な画像が得られない。本発明では、画素の面積に対してカラーフィルターの面積が５０％以上１００％以下となるようにするとともに、斜め４５°方向から見たときの視野ずれｌ（θ：４５°）＝ｄ×{ｓｉｎ２θ／（ｎ２−ｓｉｎ２θ）}１／２＝ｄ×{０．５／（ｎ２−０．５）}１／２を基準にして前記ＤＳおよび前記ＤＳと観察側透明基板の屈折率ｎおよび表示媒体表面からカラーフィルター面までの距離、すなわち、実質的に透明基板の厚さｄとの関係においてｌ≦０．５×（ＤＳ＋ＬＳ）を満たすようにすることで、後述する実施例から明らかなように、少なくとも斜め−４５°〜正面〜斜め４５°方向の範囲から観察したときに情報表示用パネル全体としての混色を抑えられることを見出した。
【００３０】
図５（ａ）、（ｂ）はそれぞれ本発明の情報表示用パネルにおけるカラーフィルターの形成方法の一例を説明するための図である。図５（ａ）に示す例は、カラーフィルターを形成した透明保護フィルム２１を透明粘着材２２で観察側透明基板２の外側に配置した構成であり、この場合の表示媒体（粒子）の表面からカラーフィルター面までの距離は、透明基板の厚さｄと透明導電膜の厚さとカラーフィルター上の透明粘着材層厚の合計で示される。透明導電膜厚は数百ｎｍ程度であり、カラーフィルター上の透明粘着材層厚は数百ｎｍ程度であるため、表示媒体表面からカラーフィルター面までの距離は数十μｍ〜数百μｍの厚さである観察側透明基板の厚さｄと実質的に同じと考えてよい。図５（ｂ）に示す例は、観察側透明基板２の外側にカラーフィルターを形成した後、透明保護フィルム２１を透明粘着材２２で配置した構成である。この場合の表示媒体（粒子）の表面からカラーフィルター面までの距離は、透明基板の厚さｄと透明導電膜の厚さとの合計で示されるが、カラーフィルター上の透明粘着材層厚は、表示媒体表面からカラーフィルター面までの距離には含まれず、透明導電膜厚は数百ｎｍ程度であるため、表示媒体表面からカラーフィルター面までの距離は数十μｍ〜数百μｍの厚さである観察側透明基板の厚さｄと実質的に同じと考えてよい。
【００３１】
図６（ａ）および図６（ｂ）はそれぞれ本発明の情報表示用パネルの他の特徴となるカラーフィルターの画素に対する面積の関係を説明するための図である。図６（ａ）および図６（ｂ）はいずれもカラーフィルターの少なくとも一つの両側に画素との隙間を設ける場合の配置例を示しており、図６（ａ）では左右両側および上下両側に前記隙間を設け、図６（ｂ）では左右両側にだけ前記隙間を設けている。画素の長さをＬ１、Ｌ２とし、例えば赤色カラーフィルター１１Ｒの長さをＬ３、Ｌ４としている。このとき、カラーフィルターの面積の画素の面積に対する割合は、{（Ｌ３×Ｌ４）／（Ｌ１×Ｌ２）}×１００（％）から求めることができる。以下に示す実施例からも明らかなように、この計算値が５０％以上となる場合に  色鮮やかさが良好なカラー画像として表示されることが分かった。
【００３２】
次に、上述した構成の本発明の情報表示用パネルにおけるカラーフィルター配置の例を、図７〜図１０に基づき説明する。本発明の情報表示用パネルは、図７〜図１０に示すいずれのカラーフィルター配置においても好適に用いることができる。なお、図７〜図１０において、ＬＬは画素の配置ピッチ（長辺方向）であり、ＬＳは画素の配置ピッチ（短辺方向）である。
【００３３】
図７はインクジェット印刷でドット状の３色のカラーフィルター（１１Ｒ、１１Ｇ、１ＢＬ）を形成した本発明の情報表示用パネルの一例の構成を説明するための図である。図７に示す例において、正面からおよび左右いずれの斜め方向から見た場合でも良好なカラー表示が得られる情報表示用パネルとすることができる条件として、本発明の画素と画素とのスペース（ドットスペース）ＤＳは図７のＤＳ１であり、画素ピッチＬＳは図７のＬＳである。ｔ１とｔ２とは同じ幅でも良いし、異なった幅でも良い。また、正面からおよび上下いずれの斜め方向から見た場合でも良好なカラー表示が得られる情報表示用パネルとすることができる条件として、本発明の画素と画素とのスペースＤＳは図７のＤＳ２であり、画素ピッチＬＳは図７のＬＬである。ｔ３とｔ４は同じ幅でもよいし、異なった幅でもよい。いずれの場合でも、視野ずれｌが、ｌ≦０．５（ＤＳ＋ＬＳ）を満たす必要がある。
【００３４】
図８はフレキソ印刷でストライプ状の３色のカラーフィルター（１１Ｒ、１１Ｇ、１１ＢＬ）を形成した本発明の情報表示用パネルの一例の構成を説明するための図である。図８に示す例において、正面からおよび左右いずれの斜め方向から見た場合でも良好なカラー表示が得られる情報表示用パネルとすることができる条件として、本発明の画素と画素とのスペース（ドットスペース）ＤＳは図８のＤＳ１であり、画素ピッチＬＳは図８のＬＳである。ｔ１とｔ２とは同じ幅でも良いし、異なった幅でも良い。図８の構成では、上下いずれの斜め方向から見た場合でも隣接画素には同色のカラーフィルターが配置されているので良好なカラー表示が得られる情報表示用パネルとすることができる。本発明の画素と画素とのスペース（ドットスペース）ＤＳは図８のＤＳ２であり、画素ピッチＬＳは図８のＬＬである。ｔ３とｔ４とはともに０である。
【００３５】
図９はインクジェット印刷で四角ドット状の４色カラーフィルター（１１Ｒ、１１Ｇ、１１ＢＬ、１１Ｔ）を形成した本発明の情報表示用パネルの他の例の構成を説明するための図である。図９に示す例において、正面からおよび左右いずれの斜め方向から見た場合でも良好なカラー表示が得られる情報表示用パネルとすることができる条件として、本発明の画素と画素とのスペース（ドットスペース）ＤＳは図９のＤＳ１であり、画素ピッチＬＳは図９のＬＳ１である。また、正面からおよび上下いずれの斜め方向から見た場合でも良好なカラー表示が得られる情報表示用パネルとすることができる条件として、本発明の画素と画素とのスペース（ドットスペース）ＤＳは図９のＤＳ２であり、画素ピッチＬＳは図９のＬＳ２である。いずれの場合でも、視野ずれｌが、ｌ≦０．５（ＤＳ＋ＬＳ）を満たす必要がある。ｔ１とｔ２とは同じ幅でもよいし、異なった幅でもよい。ｔ３とｔ４とも同じ幅でもよいし、異なった幅でもよい。
【００３６】
図１０はインクジェット印刷で四角ドット状の４色のカラーフィルター（１１Ｒ、１１Ｇ、１１ＢＬ、１１Ｔ）を形成した本発明の情報表示用パネルのさらに他の例の構成を説明するための図である。図１０に示す例において、正面からおよび左右いずれの斜め方向から見た場合でも良好なカラー表示が得られる情報表示用パネルとすることができる条件として、本発明の画素と画素とのスペース（ドットスペース）ＤＳは図１０のＤＳ１であり、画素ピッチＬＳは図１０のＬＳ１である。また、正面からおよび上下いずれの斜め方向から見た場合でも良好なカラー表示が得られる情報表示用パネルとすることができる条件として、本発明の画素と画素とのスペース（ドットスペース）ＤＳは図１０のＤＳ２であり、画素ピッチＬＳは図１０のＬＳ２である。いずれの場合でも、視野ずれｌが、ｌ≦０．５（ＤＳ＋ＬＳ）を満たす必要がある。図９に示す例とは、カラーフィルターの上下方向に画素とカラーフィルターとの隙間ｔを設けていない点が異なっている。つまり、図９におけるｔ３、ｔ４は０である。ｔ１、ｔ２は同じ幅でもよいし、異なった幅でもよい。
【００３７】
次に、上述した構成の本発明の情報表示用パネルにおける１表示単位の例を、図１１（ａ）、（ｂ）〜図１２（ａ）、（ｂ）に基づき説明する。三原色、例えばＲＧＢ３色のカラーフィルターをそれぞれ１つの画素に配置した場合、Ｒ画素、Ｇ画素、Ｂ画素を１×３でマトリックス配置して１表示単位としたり（図１１（ａ）、（ｂ）に示す例）、Ｒ画素、Ｇ画素、Ｂ画素とカラーフィルターを設けない画素（Ｔ画素）とを１×４や２×２（図１２（ａ）、（ｂ）に示す例）でマトリックス配置して１表示単位としたりする。１×３や１×４でマトリックス配置する場合、左右または上下のいずれかの隣接画素には同色のカラーフィルターが配置されるのでこの場合には異なる色のカラーフィルターが隣接する左右上下いずれかに本発明を適用すれば、斜め方向から見た場合において混色を感じない情報表示用パネルを得られる。
【００３８】
Ｒ画素、Ｇ画素、Ｂ画素とカラーフィルターを設けない画素（Ｔ画素）とを２×２でマトリックス配置して１表示単位とした場合には異なる色のカラーフィルターが隣接する左右上下いずれにも本発明を適用すれば、斜め方向から見た場合において混色を感じない情報表示用パネルを得られる。画素に対しての隙間ｔを設けないでカラーフィルターを形成しても、画素間スペースＤＳの大きさによって隣接画素の表示色が混色しない情報表示用パネルを得られるが、画素とカラーフィルターとの間に隙間ｔを設けるとより効果を達成しやすい。図１２（ａ）ではカラーフィルター左右両側および上下両側に前記隙間を設け、図１２（ｂ）ではカラーフィルター左右両側に前記隙間を設け、上下両側には前記隙間を設けていない。図１２（ｂ）の場合に画素間スペースＤＳの大きさによっては斜め上下方向から見たときに隣接画素の表示色が混色してしまう場合がある情報表示用パネルとなることがあるが、この場合も本発明を適用すれば、いずれの斜め方向から見た場合においても混色を感じない情報表示用パネルを得られる。
【００３９】
次に、本発明の情報表示用パネルを構成する各構成部材の好適例について説明する。
【００４０】
観察側透明基板の厚さは２００μｍ以下とすることが好ましい。厚さが２００μｍを超えると、本発明の情報表示用パネルを実現することが難しくなる場合がある。さらに、観察側透明基板の屈折率ｎが１．４７以上であることが好ましい。屈折率が１．４７未満であると、本発明の情報表示用パネルを実現することが難しくなる場合がある。なお、屈折率が１．４７以上の透明基板材料としては、屈折率１．４７のガラス、屈折率１．６５のポリエチレンテレフタレート（ＰＥＴ）、屈折率１．６７のポリエチレンナフタレート（ＰＥＮ）、屈折率１．４９のトリアセチルセルロース（ＴＡＣ）、屈折率１．６３のポリカーボネート（ＰＣ）、屈折率１．６８のポリエーテルサルフォン（ＰＥＳ）、屈折率１．４９〜１．５５のポリメチルメタクリレート（ＰＭＭＡ）等のアクリル系樹脂などが挙げられる。
【００４１】
本発明の情報表示用パネルの好適例として、Ｒ：赤色、Ｇ：緑色、Ｂ：青色、または、Ｃ：シアン色、Ｍ：マゼンタ色、Ｙ：黄色の各３色のカラーフィルタを各画素に配置し、この３画素をもって１表示単位を構成し、３×１のマトリックス配置とする、あるいは、この３画素と隣接する別の、カラーフィルタを配置しない１画素との４画素をもって１表示単位を構成し、２×２または４×１のマトリックス配置とすることがある。
【００４２】
本発明の情報表示用パネルではカラーフィルターを、印刷法やフォトリソ法を用いて、観察側透明基板のパネル外側面に作製、配置する。
【００４３】
本発明の情報表示用パネルではカラーフィルターを観察側透明基板の外側に配置するので、導電膜（電極）が形成された透明基板に対してだけでなく、本願の情報表示用パネルの前駆体の観察側透明基板に対しても、観察側透明基板の外側にインクジェット印刷、フレキソ印刷等の印刷法やフォトリソグラフィー法を用いてカラーフィルターを作製し、配置することができる。
【００４４】
情報表示用パネルの２枚のパネル基板間ギャップを確保するために設ける隔壁部分や、粒子群として構成した表示媒体を収納するセルを形成するために設ける隔壁部分を形成するときには、液状レジスト剤やドライフィルムレジスト材を用いたフォトリソグラフィー技術が好適に用いられる。一例として、アルフォＮＩＴ２（ニチゴーモートン社製）やＰＤＦ３００（新日鐵化学社製）をドライフィルムレジスト材として使用することができる。これらのドライフィルムレジスト材に各種顔料を配合しておけば、所望の色の隔壁とすることができる。
【００４５】
パネル基板間ギャップ確保用の隔壁部分の幅は、本発明の画素と画素とのスペースＤＳを超えない範囲で２０μｍ〜１００μｍの範囲とし、セル形成専用の隔壁部分の幅は、本発明の画素と画素とのスペースＤＳを超えない範囲で５μｍ〜３０μｍの範囲とすることが好ましい。
【００４６】
情報表示領域に対向して配置する画素を構成する導電膜において、観察側透明基板の情報表示領域に設ける透明導電膜材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン（ＰＥＤＯＴ：ＰＳＳなど）等の透明導電性高分子類が挙げられる。
【００４７】
情報表示領域に対向して配置する画素を構成する導電膜において、背面側基板の情報表示領域に設ける導電膜材料は透明であってもよいし、透明でなくてもよく、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン（ＰＥＤＯＴ：ＰＳＳなど）等の導電性高分子類や、金、銀、銅、アルミニウム、ニッケル、クロム等の金属や、これらの金属を主成分とする合金が挙げられる。
【００４８】
基板に設ける導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側透明基板の情報表示領域に設ける導電膜の厚みは、導電性が確保でき光透過性に支障がなければ良く、０．０１μｍ〜１０μｍが好ましく、０．０５μｍ〜５μｍがより好ましい。また、観察側透明基板の情報表示領域以外に設ける導電膜や背面側基板に設ける導電膜の厚みは、導電性が確保できれば良く、０．０１μｍ〜１０μｍが好ましく、０．０５μｍ〜５μｍがより好ましい。
【００４９】
観察側透明基板に設ける導電膜として好適なＩＴＯ等の金属酸化物系の透明導電性材料は、金属材料に比べて可とう性が小さい。観察側透明基板の情報表示領域に設ける金属酸化物系の透明導電膜には、透明電極材中での断線防止のため、金属細線と併用することが好ましい。特に、透明導電膜をライン状とする場合には、透明導電膜中で断線が発生しやすいのでその防止のため、金属細線と併用することが好ましい。この金属細線の幅は、１μｍ〜１０μｍとすれば表示視認性の妨げとならないので好ましい。観察側基板の情報表示領域外や背面側基板に設ける導電膜は光透過性を考慮する必要がないので電気抵抗が小さく、可とう性にも優れた前記金属材料が好適に用いられる。また、観察側基板の情報表示領域外や背面側基板に設ける導電膜の厚みは電気抵抗および生産性、コストの観点から、０．０１μｍ〜１０μｍに設計される。
【実施例】
【００５０】
以下、実際の例について説明する。【００５１】
以下に示す実施例１〜１２及び比較例１〜３について、表１に示す各条件に基づいて、情報表示用パネルを作製した。なお、情報表示用パネルに用いた表示媒体は以下のとおりである。【００５２】
（黒色表示媒体）
メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させ、（アクリル系及びメタクリル系）樹脂−炭化水素系樹脂ブロックコポリマー（モディパーＦ６００：日本油脂製）５重量部を溶解させた後、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径９．２μｍの正帯電性黒色粒子群を得た。実施例では、この黒色粒子群を黒色表示媒体として用いた。【００５３】
（白色表示媒体）
ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＭＲ−１０：日本ニュ−マチック工業）を用いて溶融球状化して得た、平均粒子径が、９．５μｍの負帯電性の白色粒子群を得た。実施例では、この白色粒子群を白色表示媒体として用いた。【００５４】
この２種類の粒子群をそれぞれ等体積量で基板間のセル内に、合せた体積占有率が２５％となるように配置して表示媒体とした。【００５５】
また、実施例１〜１２及び比較例１〜３の各別の情報表示用パネルに対し、隙間ｔ、ＤＳ、ＬＳ及び４５°方向の視野ずれｌを求めるとともに、カラーフィルターの面積と画素の面積との比を求めて、以下の表１にあわせて記載した。そして、得られた実施例１〜１２及び比較例１〜３の情報表示用パネルについて、正面方向からの視認性を評価して評価結果１として示すとともに、斜め４５°方向からの視認性を評価して評価結果２として示し、以下の各実施例１〜１２及び比較例１〜３のそれぞれに記載した。【００５６】
＜実施例１＞
電極パターニングしたＩＴＯ膜付き透明ガラス基板（厚さ：２００μｍ、屈折率：１．４７）の、１００ｎｍ厚のＩＴＯ膜上に、基板間隔を５０μｍに保持し、１０００μｍ×１０００μｍのマトリックス状開口部を有する隔壁（リブ）を２０μｍ幅で形成し、ＩＴＯ膜が形成された面とは反対側の透明ガラス基板面の隔壁で囲まれた領域に対応する位置中央部に、カラーフィルター材をインクジェット方式で形成して、４色（Ｒ、Ｇ、ＢＬ、Ｔ）が２×２で配置されたカラーフィルターを作製した。各カラーフィルターの周囲には隔壁で囲まれた画素サイズに対して１００μｍの隙間を残すようにカラーフィルターを設けた。なお、インクジェット法においては、インク滴のサイズをターゲットであるカラーフィルター層形成領域のサイズにあわせて制御することが好ましいので、１０００μｍ×１０００μｍのマトリックス状開口部（画素）に対して、６〜３０ピコリットルに制御したインク滴とすることで画素サイズより小面積のカラーフィルターを形成した。
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。【００５７】
実施例１において、正面方向からの視認性を評価した評価結果１では、鮮明で良好な表示状態が得られた。また、斜め４５°方向からの視認性を評価した評価結果２では、混色を感じない表示状態が得られ、良好と判定した。【００５８】
＜実施例２＞
電極パターニングしたＩＴＯ膜付き透明ポリエチレンテレフタレートフィルム（ＰＥＴフィルム）基板（厚さ：１２５μｍ、屈折率：１．６５）の、１００ｎｍ厚のＩＴＯ膜上に、基板間隔を５０μｍに保持し、１５０μｍ×３００μｍのマトリックス状開口部を有する隔壁（リブ）を３０μｍ幅で形成し、ＩＴＯ膜が形成された面とは反対側の面の隔壁で囲まれた領域に対応する位置中央部に、カラーフィルター材をフレキソ（凸版）印刷法で８０μｍ幅のライン状に形成して、赤（Ｒ）、青（ＢＬ）、緑（Ｇ）３色のカラーフィルターを、１５０μｍの画素辺に対して両側に３５μｍの隙間を有するカラーフィルターとなるように形成した。フレキソインクの光開始剤にはチバスペシャリティケミカルズのイルガキュア１８４を用いた。このフレキソインクを用いて、ガラス基板上に順次ストライプ状のカラーフィルターを印刷した。アニロックスロールには５００線のものを使用し、膜厚が１．５μｍとなるように調整した。【００５９】
実施例２において、正面方向からの視認性を評価した評価結果１では、鮮明で良好な表示状態が得られた。また、斜め４５°方向からの視認性を評価した評価結果２では、混色を感じない表示状態が得られ、良好と判定した。【００６０】
＜実施例３＞
電極パターニングしたＩＴＯ膜付き透明ガラス基板（厚さ：２００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成し、ＩＴＯ膜が形成された面とは反対側の透明ガラス基板面の隔壁で囲まれた領域に対応する位置中央部に、フォトリソ法でカラーフィルターを形成した透明保護層とする厚さ１２５μｍのポリエチレンテレフタレートフィルム（ＰＥＴフィルム）のカラーフィルター面を透明粘着材を用いて貼り合せた。
カラーフィルター用顔料を分散した、ネガ型フォトレジスト剤をスリットコータにより、膜厚２．０μmとなるように、透明ガラス基板のＩＴＯ膜が形成された面とは反対の面に一様に塗布し、露光マスクを用いて露光し、炭酸ナトリウム水溶液を用いて現像することで、ＩＴＯ電極により形成された画素に対応する位置の中央部にカラーフィルターが配置されるようにカラーフィルターを作製した。４色（Ｒ、Ｇ、ＢＬ、Ｔ）が２×２で配置されたカラーフィルターを順次作製した。各カラーフィルターの周囲には隔壁で囲まれた画素サイズに対して小面積でカラーフィルターを設けた。このとき画素周囲とカラーフィルター周囲との間の隙間は６０μｍに設けた。【００６１】
実施例３において、正面方向からの視認性を評価した評価結果１では、鮮明で良好な表示状態が得られた。また、斜め４５°方向からの視認性を評価した評価結果２では、混色を感じない表示状態が得られ、良好と判定した。【００６２】
＜実施例４＞
電極パターニングしたＩＴＯ膜付き透明ポリエチレンテレフタレートフィルム（ＰＥＴフィルム）基板（厚さ：１２５μｍ、屈折率：１．６５）の、１００ｎｍ厚のＩＴＯ膜上に、基板間隔を５０μｍに保持し、１０００μｍ×１０００μｍのマトリックス状開口部を有する隔壁（リブ）を７０μｍ幅で形成し、ＩＴＯ膜が形成された面とは反対側の透明ガラス基板面の隔壁で囲まれた領域に対応する位置中央部に、フォトリソ法でカラーフィルターを形成した。カラーフィルター用顔料を分散した、ネガ型フォトレジスト剤をスリットコータにより、膜厚２．０μｍとなるように前記領域に塗布し、露光マスクを用いて露光し、炭酸ナトリウム水溶液を用いて現像することで、ＩＴＯ電極により形成された画素に対応する位置の中央部に画素サイズに対してほとんど同じ大きさでカラーフィルターを設けた。カラーフィルターは２×２で配置された４個の画素のうち３個の画素に赤、青、緑の３色のカラーフィルターを順次作製し、１個の画素にはカラーフィルター用顔料を分散したネガ型フォトレジスト剤を塗布せずに透明色カラーフィルターＴとした。【００６３】
実施例４において、正面方向からの視認性を評価した評価結果１では、鮮明で良好な表示状態が得られた。また、斜め４５°方向からの視認性を評価した評価結果２では、混色を感じない表示状態が得られ、良好と判定した。【００６４】
＜実施例５＞
電極パターニングしたＩＴＯ膜付き透明ポリエチレンテレフタレートフィルム（ＰＥＴフィルム）基板（厚さ：２５μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴフィルム基板面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対してほとんど同じ大きさでカラーフィルターを設けた。このとき画素周囲とカラーフィルター周囲との間の隙間はほとんどなく、カラーフィルターは少なくとも画素の周囲を越えることなく画素周囲と僅かに隙間を残すように設けた。なお、インクジェット法においては、インク滴のサイズをターゲットであるカラーフィルター層形成領域のサイズにあわせて制御することが好ましいので、１００μｍ×１００μｍのマトリックス状開口部（画素）に対して、６〜３０ピコリットルに制御したインク滴とすることで画素サイズの１００μｍ×１００μｍを超えない大きさのカラーフィルターを形成した。
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。【００６５】
実施例５において、正面方向からの視認性を評価した評価結果１では、鮮明で良好な表示状態が得られた。また、斜め４５°方向からの視認性を評価した評価結果２では、混色を感じない表示状態が得られ、良好と判定した。【００６６】
＜実施例６＞
電極パターニングしたＩＴＯ膜付き透明ポリエチレンテレフタレートフィルム（ＰＥＴフィルム）基板（厚さ：５０μｍ、屈折率：１．６５）の、ＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴフィルム基板面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して１０μｍの隙間を設けた。【００６７】
実施例６において、正面方向からの視認性を評価した評価結果１では、鮮明で良好な表示状態が得られた。また、斜め４５°方向からの視認性を評価した評価結果２では、混色を感じない表示状態が得られ、良好と判定した。【００６８】
＜実施例７＞
電極パターニングしたＩＴＯ膜付き透明ポリエチレンテレフタレートフィルム（ＰＥＴフィルム）基板（厚さ：１２５μｍ、屈折率：１．６５）の、ＩＴＯ膜上に、基板間隔を５０μｍに保持し、３００μｍ×３００μｍのマトリックス状開口部を有する隔壁（リブ）を２０μｍ幅で形成し、ＩＴＯ膜が形成された面とは反対側の透明ＰＥＴフィルム基板面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して４０μｍの隙間を設けた。【００６９】
実施例７において、正面方向からの視認性を評価した評価結果１では、鮮明で良好な表示状態が得られた。また、斜め４５°方向からの視認性を評価した評価結果２では、混色を感じない表示状態が得られ、良好と判定した。【００７０】
＜実施例８＞
電極パターニングしたＩＴＯ膜付き透明ＰＥＴフィルム基板（厚さ：５０μｍ、屈折率：１．６５）の、１００ｎｍ厚のＩＴＯ膜上に、基板間隔を５０μｍに保持し、１００μｍ×３００μｍのマトリックス状開口部を有する隔壁（リブ）を２０μｍ幅で形成し、ＩＴＯ膜が形成された面とは反対側の透明ＰＥＴ基板面の隔壁で囲まれた領域に対応する位置中央部に、カラーフィルター材をフレキソ（凸版）印刷法で８０μｍ幅のライン状に形成して、赤（Ｒ）、青（ＢＬ）、緑（Ｇ）３色のカラーフィルターを、１００μｍの画素辺に対して両側に１０μｍの隙間を有するカラーフィルターとなるように形成した。フレキソインクの光開始剤にはチバスペシャリティケミカルズのイルガキュア１８４を用いた。このフレキソインクを用いて、ＰＥＴ基板上に順次ストライプ状のカラーフィルターを印刷した。アニロックスロールには５００線のものを使用し、膜厚が１．５μｍとなるように調整した。【００７１】
実施例８において、正面方向からの視認性を評価した評価結果１では、鮮明で良好な表示状態が得られた。また、斜め４５°方向からの視認性を評価した評価結果２では、混色を感じない表示状態が得られ、良好と判定した。【００７２】
＜実施例９＞
電極パターニングしたＩＴＯ膜付き透明ポリエチレンテレフタレートフィルム（ＰＥＴフィルム）基板（厚さ：５０μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴフィルム基板面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して１０μｍの隙間を設けた。【００７３】
実施例９において、正面方向からの視認性を評価した評価結果１では、鮮明で良好な表示状態が得られた。また、斜め４５°方向からの視認性を評価した評価結果２では、混色を感じない表示状態が得られ、良好と判定した。【００７４】
＜実施例１０＞
電極パターニングしたＩＴＯ膜付き透明ガラス基板（厚さ：２００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を７０μｍ幅で形成した基板側に表示媒体とする粒子群を配置した後にもう一方のＩＴＯ膜付き透明ガラス基板（厚さ：７００μｍ）を貼り合せて構成したパネル構造体の観察面側基板（厚さ：２００μｍ）のＩＴＯ膜が形成された面とは反対側の透明ガラス基板面の隔壁で囲まれた領域に対応する位置中央部に、カラーフィルター材をインクジェット方式でドット状に形成して、４色（赤：Ｒ、緑：Ｇ、青：ＢＬ、透明：Ｔ）が２×２で配置されたカラーフィルターを作製した。各カラーフィルターは直径４００μｍの円形ドット状に設け、周囲には隔壁で囲まれた画素サイズに対して約５０μｍの隙間を設けた。【００７５】
実施例１０において、正面方向からの視認性を評価した評価結果１では、鮮明で良好な表示状態が得られた。また、斜め４５°方向からの視認性を評価した評価結果２では、混色を感じない表示状態が得られ、良好と判定した。【００７６】
＜実施例１１＞
ガラス基板上に２００μｍ×２００μｍのマトリックス状に画素を形成したＴＦＴ基板上に、基板間隔を５０μｍに保持し、２００μｍ×２００μｍのマトリックス状開口部を有する隔壁（リブ）を２０μｍ幅で形成した基板側に表示媒体とする粒子群を配置した後に、パターニングされていない１００ｎｍ厚のべたＩＴＯ膜付き透明ＰＥＴ基板（厚さ：５０μｍ、屈折率：１．６５）を貼り合せて構成したパネル構造体の観察面側の透明ＰＥＴ基板（厚さ：５０μｍ）のＩＴＯ膜が形成された面とは反対側の面に、もう一枚の背面側ＴＦＴ基板上に形成された画素電極の領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して１０μｍの隙間を設けた。【００７７】
実施例１１において、正面方向からの視認性を評価した評価結果１では、鮮明で良好な表示状態が得られた。また、斜め４５°方向からの視認性を評価した評価結果２では、混色を感じない表示状態が得られ、良好と判定した。【００７８】
＜実施例１２＞
電極パターニングしたＩＴＯ膜付き透明ガラス基板（厚さ：２００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成し、ＩＴＯ膜が形成された面とは反対側の透明ガラス基板面の、画素の中央部に対応する領域にカラーフィルター材をインクジェット方式で配置して、カラーフィルターを作製した。作製されたカラーフィルターと画素との間には僅かに隙間ができていたがほぼ画素と同じサイズのカラーフィルターが形成されていた。【００７９】
実施例１２において、正面方向からの視認性を評価した評価結果１では、鮮明で良好な表示状態が得られた。また、斜め４５°方向からの視認性を評価した評価結果２では、隣接する他色の混色をやや感じる表示状態が得られたが実質上問題ないと判定した。【００８０】
＜比較例１＞
電極パターニングしたＩＴＯ膜付き透明ガラス基板（厚さ：７００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成し、ＩＴＯ膜が形成された面とは反対側の透明ガラス基板面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して６０μｍの隙間を設けた。なお、インクジェット法においては、インク滴のサイズをターゲットであるカラーフィルター層形成領域のサイズにあわせて制御することが好ましいので、５００μｍ×５００μｍのマトリックス状開口部（画素）に対して、６〜３０ピコリットルに制御したインク滴とすることで画素よりも小面積のカラーフィルターを形成した。
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。カラーフィルター層の上には何も設けなかった。【００８１】
比較例１において、正面方向からの視認性を評価した評価結果１では、鮮明で良好な表示状態が得られた。一方、斜め４５°方向からの視認性を評価した評価結果２では、隣接する他色が混色した表示状態であり、不良と判定した。【００８２】
＜比較例２＞
電極パターニングしたＩＴＯ膜付き透明ガラス基板（厚さ：２００μｍ、屈折率：１．４７）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ガラス基板面の、画素の中央部に対応する領域にカラーフィルター材をインクジェット方式で配置して、カラーフィルターを作製した。作製されたカラーフィルターと画素との間には１０μｍの隙間ができるようにしてカラーフィルターを形成した。【００８３】
比較例２において、正面方向からの視認性を評価した評価結果１では、鮮明で良好な表示状態が得られた。一方、斜め４５°方向からの視認性を評価した評価結果２では、隣接する他色が混色した表示状態であり、不良と判定した。【００８４】
＜比較例３＞
電極パターニングしたＩＴＯ膜付き透明ＰＥＴ基板（厚さ：２００μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴ基板面の画素の中央部に対応する領域にカラーフィルター材をインクジェット方式で形成して、カラーフィルターを作製した。各カラーフィルターの周囲には隔壁で囲まれた画素サイズに対して４０μｍの隙間を設けた。【００８５】
比較例３において、正面方向からの視認性を評価した評価結果１では、ぼけたカラー表示状態であった。また、斜め４５°方向からの視認性を評価した評価結果２では、隣接する他色が混色した表示状態であり、不良と判定した。【００８６】
【表１】
2010146810.tif 000003
【００８７】
表１の結果から、カラーフィルターの面積が画素の面積に対して占める割合が５０％以上であるとともに斜め４５°方向から観察したときの視野ずれｌがｌ≦０．５（ＤＳ＋ＬＳ）である実施例１〜１２は、いずれかの条件あるいは両者の条件を満たさない比較例１〜３と比べて、正面方向からの視認性を評価した評価結果１として、鮮明で良好な表示状態を得ることができるとともに、斜め４５°方向からの視認性を評価した評価結果２として、混色がない表示状態が得られることがわかった。
【産業上の利用可能性】
【００８８】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（本発明に係る画素サイズの電界形成用画素電極対を有する外部電界形成手段を用いて書換えできる）としても好適に用いられる。
【符号の説明】
【００８９】
１、２  基板
３Ｗ  白色表示媒体
３Ｗａ  負帯電性白色粒子
３Ｂ  黒色表示媒体
３Ｂａ  正帯電性黒色粒子
４  隔壁
５、６  電極
７  絶縁液体
８  カプセル
１１Ｒ  赤色カラーフィルター
１１Ｇ  緑色カラーフィルター
１１ＢＬ  青色カラーフィルター
１１Ｔ  無色カラーフィルター
１２  接着剤
１３  保護層
２１  透明保護フィルム
２２  透明粘着材層
【図１】
2010146810.tif 000004
【図２】
2010146810.tif 000005
【図３】
2010146810.tif 000006
【図４】
2010146810.tif 000007
【図５】
2010146810.tif 000008
【図６】
2010146810.tif 000009
【図７】
2010146810.tif 000010
【図８】
2010146810.tif 000011
【図９】
2010146810.tif 000012
【図１０】
2010146810.tif 000013
【図１１】
2010146810.tif 000014
【図１２】
2010146810.tif 000015
【国際調査報告】
2010146810.tif 000016
2010146810.tif 000017
2010146810.tif 000018
2010146810.tif 000019